【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
（ａ）１００℃での動粘度が２乃至５ｃＳｔであることに特徴がある、フィッシャー・トロプシュ合成により誘導された少なくとも一種の潤滑基油、および（ｂ）少なくとも一種のポリオールエステルを含む潤滑基油組成物。
【請求項２】
フィッシャー・トロプシュ合成により誘導された潤滑基油が、（ｉ）少なくとも一個の芳香族官能基を持つ分子全体の重量％が、フィッシャー・トロプシュ合成誘導潤滑油の全重量に基づき０．３０以下であって、（ii）シクロパラフィン官能性を持つ分子全体の重量％が、フィッシャー・トロプシュ合成誘導潤滑油の全重量に基づき８以上であり、そして（iii）モノシクロパラフィン官能性を持つ分子の重量％とマルチシクロパラフィン官能性を持つ分子の重量％との比が、１５：１以上である請求項１に記載の潤滑基油組成物。
【請求項３】
少なくとも一個の芳香族官能基を持つ分子全体の重量％が０．０５以下である請求項２に記載の潤滑基油組成物。
【請求項４】
モノシクロパラフィン官能性を持つ分子の重量％とマルチシクロパラフィン官能性を持つ分子の重量％との比が、４５：１以上である請求項２に記載の潤滑基油組成物。
【請求項５】
フィッシャー・トロプシュ合成により誘導された潤滑基油の５％から９５％留出点の間の沸点範囲分布が、ＡＳＴＭ Ｄ−６３５２分析法又はその同等分析法の測定値で３８乃至１４９℃である請求項１に記載の潤滑基油組成物。
【請求項６】
ポリオールエステルが、一種もしくは二種以上のポリオールと一種もしくは二種以上の有機酸との反応生成物からなる請求項１に記載の潤滑基油組成物。
【請求項７】
一種もしくは二種以上のポリオールが２〜１０個の炭素原子と２〜６個のヒドロキシル基を持ち、そして一種もしくは二種以上の有機酸が４〜２４個の炭素原子を持つ請求項６に記載の潤滑基油組成物。
【請求項８】
一種もしくは二種以上のポリオールがネオペンチル基を持つ多価アルコールである請求項６に記載の潤滑基油組成物。
【請求項９】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ブタン酸、イソブタン酸、ペンタン酸、イソペンタン酸、ヘキサン酸、２−エチルブタン酸、シクロヘキサン酸、ヘプタン酸、イソヘプタン酸、メチルシクロヘキサン酸、オクタン酸、ジメチル−ヘキサン酸、２−エチルヘキサン酸、２，４，４−トリメチル−ペンタン酸、イソオクタン酸、３，５，５−トリメチルヘキサン酸、ノナン酸、イソノナン酸、イソデカン酸、イソウンデカン酸、２−ブチルオクタン酸、トリデカン酸、テトラデカン酸、ヘキサデカン酸、ヘプタデカン酸、オクタデカン酸、２−エチルヘキサデカン酸、ノナデカン酸、２−メチルオクタデカン酸、イコサン酸、２−メチルイコサン酸、３−メチルノナデカン酸、ドコサン酸、テトラドコサン酸、２−メチルトリコサン酸およびそれらの組合せからなる群より選ばれる請求項６に記載の潤滑基油組成物。
【請求項１０】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ミリストレイン酸、パルミトレイン酸、オレイン酸、リノレン酸、カプロン酸、カプリル酸、カプリン酸、ラウリン酸、ミリスチン酸、パルミチン酸、ステアリン酸、アラキン酸、ベヘン酸、リグノセリン酸およびそれらの組合せからなる群より選ばれる不飽和又は飽和脂肪酸である請求項６に記載の潤滑基油組成物。
【請求項１１】
ポリオールエステルがトリエステル化ポリオールエステルである請求項１に記載の潤滑基油組成物。
【請求項１２】
フィッシャー・トロプシュ合成により誘導された潤滑基油が主要量で存在し、そしてポリオールエステルが少量で存在する請求項１に記載の潤滑基油組成物。
【請求項１３】
１００℃での動粘度が２乃至９．３ｃＳｔである請求項１に記載の潤滑基油組成物。
【請求項１４】
さらに、酸化防止剤、耐摩耗性添加剤、清浄剤、さび止め添加剤、曇り除去剤、抗乳化剤、金属不活性化剤、摩擦緩和剤、流動点降下剤、消泡剤、補助溶剤、パッケージ混合剤、腐食防止剤、無灰分散剤、染料、極圧剤およびそれらの組合せからなる群より選ばれる一種もしくは二種以上の潤滑油添加剤を含む請求項１に記載の潤滑基油組成物。
【請求項１５】
１００℃での動粘度が２乃至９．３ｃＳｔである請求項１４に記載の潤滑基油組成物。
【請求項１６】
リン分が組成物の全重量に基づき０．０８重量％を越えない請求項１４に記載の潤滑基油組成物。
【請求項１７】
リン分が組成物の全重量に基づき０．０５重量％を越えない請求項１４に記載の潤滑基油組成物。
【請求項１８】
１００℃での動粘度が２乃至９．３ｃＳｔであり、そして（ａ）５％から９５％留出点の間の沸点範囲分布が、ＡＳＴＭ Ｄ−６３５２分析法又はその同等分析法で３８乃至１４９℃であることに特徴がある、フィッシャー・トロプシュ合成により誘導された少なくとも一種の潤滑基油、および（ｂ）少なくとも一種のポリオールエステルを含む潤滑基油組成物。
【請求項１９】
フィッシャー・トロプシュ合成により誘導された潤滑基油が、（ｉ）少なくとも一個の芳香族官能基を持つ分子全体の重量％が、フィッシャー・トロプシュ合成誘導潤滑油の全重量に基づき０．３０以下であって、（ii）シクロパラフィン官能性を持つ分子全体の重量％が、フィッシャー・トロプシュ合成誘導潤滑油の全重量に基づき８以上であり、そして（iii）モノシクロパラフィン官能性を持つ分子の重量％とマルチシクロパラフィン官能性を持つ分子の重量％との比が、１５：１以上である請求項１８に記載の潤滑基油組成物。
【請求項２０】
少なくとも一個の芳香族官能基を持つ分子全体の重量％が０．０５以下である請求項１９に記載の潤滑基油組成物。
【請求項２１】
モノシクロパラフィン官能性を持つ分子の重量％とマルチシクロパラフィン官能性を持つ分子の重量％との比が、４５：１以上である請求項１９に記載の潤滑基油組成物。
【請求項２２】
ポリオールエステルが、一種もしくは二種以上のポリオールと一種もしくは二種以上の有機酸との反応生成物からなる請求項１８に記載の潤滑基油組成物。
【請求項２３】
一種もしくは二種以上のポリオールが２〜１０個の炭素原子と２〜６個のヒドロキシル基を持ち、そして一種もしくは二種以上の有機酸が４〜２４個の炭素原子を持つ請求項２２に記載の潤滑基油組成物。
【請求項２４】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ブタン酸、イソブタン酸、ペンタン酸、イソペンタン酸、ヘキサン酸、２−エチルブタン酸、シクロヘキサン酸、ヘプタン酸、イソヘプタン酸、メチルシクロヘキサン酸、オクタン酸、ジメチル−ヘキサン酸、２−エチルヘキサン酸、２，４，４−トリメチル−ペンタン酸、イソオクタン酸、３，５，５−トリメチルヘキサン酸、ノナン酸、イソノナン酸、イソデカン酸、イソウンデカン酸、２−ブチルオクタン酸、トリデカン酸、テトラデカン酸、ヘキサデカン酸、ヘプタデカン酸、オクタデカン酸、２−エチルヘキサデカン酸、ノナデカン酸、２−メチルオクタデカン酸、イコサン酸、２−メチルイコサン酸、３−メチルノナデカン酸、ドコサン酸、テトラドコサン酸、２−メチルトリコサン酸およびそれらの組合せからなる群より選ばれる請求項２２に記載の潤滑基油組成物。
【請求項２５】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ミリストレイン酸、パルミトレイン酸、オレイン酸、リノレン酸、カプロン酸、カプリル酸、カプリン酸、ラウリン酸、ミリスチン酸、パルミチン酸、ステアリン酸、アラキン酸、ベヘン酸、リグノセリン酸およびそれらの組合せからなる群より選ばれる不飽和又は飽和脂肪酸である請求項２２に記載の潤滑基油組成物。
【請求項２６】
フィッシャー・トロプシュ合成により誘導された潤滑基油が主要量で存在し、そしてポリオールエステルが少量で存在する請求項１８に記載の潤滑基油組成物。
【請求項２７】
さらに、酸化防止剤、耐摩耗性添加剤、清浄剤、さび止め添加剤、曇り除去剤、抗乳化剤、金属不活性化剤、摩擦緩和剤、流動点降下剤、消泡剤、補助溶剤、パッケージ混合剤、腐食防止剤、無灰分散剤、染料、極圧剤およびそれらの組合せからなる群より選ばれた一種もしくは二種以上の潤滑油添加剤を含む請求項１８に記載の潤滑基油組成物。
【請求項２８】
リン分が組成物の全重量に基づき０．０８重量％を越えない請求項２７に記載の潤滑基油組成物。
【請求項２９】
１００℃での動粘度が２乃至９．３ｃＳｔであって、（ａ）（ｉ）少なくとも一個の芳香族官能基を持つ分子全体の重量％がフィッシャー・トロプシュ合成誘導潤滑油の全重量に基づき０．３０以下で、（ii）シクロパラフィン官能性を持つ分子全体の重量％がフィッシャー・トロプシュ合成誘導潤滑油の全重量に基づき８以上で、かつ（iii）モノシクロパラフィン官能性を持つ分子の重量％とマルチシクロパラフィン官能性を持つ分子の重量％との比が１５：１以上である、フィッシャー・トロプシュ合成により誘導された少なくとも一種の潤滑基油、および（ｂ）少なくとも一種のポリオールエステルを含む潤滑基油組成物。
【請求項３０】
フィッシャー・トロプシュ合成誘導潤滑基油におけるシクロパラフィン官能性を持つ分子全体の重量％が、９．５以上である請求項２９に記載の潤滑基油組成物。
【請求項３１】
ポリオールエステルが、一種もしくは二種以上のポリオールと一種もしくは二種以上の有機酸との反応生成物からなる請求項２９に記載の潤滑基油組成物。
【請求項３２】
一種もしくは二種以上のポリオールが２〜１０個の炭素原子と２〜６個のヒドロキシル基を持ち、そして一種もしくは二種以上の有機酸が４〜２４個の炭素原子を持つ請求項３１に記載の潤滑基油組成物。
【請求項３３】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ブタン酸、イソブタン酸、ペンタン酸、イソペンタン酸、ヘキサン酸、２−エチルブタン酸、シクロヘキサン酸、ヘプタン酸、イソヘプタン酸、メチルシクロヘキサン酸、オクタン酸、ジメチル−ヘキサン酸、２−エチルヘキサン酸、２，４，４−トリメチル−ペンタン酸、イソオクタン酸、３，５，５−トリメチルヘキサン酸、ノナン酸、イソノナン酸、イソデカン酸、イソウンデカン酸、２−ブチルオクタン酸、トリデカン酸、テトラデカン酸、ヘキサデカン酸、ヘプタデカン酸、オクタデカン酸、２−エチルヘキサデカン酸、ノナデカン酸、２−メチルオクタデカン酸、イコサン酸、２−メチルイコサン酸、３−メチルノナデカン酸、ドコサン酸、テトラドコサン酸、２−メチルトリコサン酸およびそれらの組合せからなる群より選ばれる請求項３１に記載の潤滑基油組成物。
【請求項３４】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種以上の有機酸が、ミリストレイン酸、パルミトレイン酸、オレイン酸、リノレン酸、カプロン酸、カプリル酸、カプリン酸、ラウリン酸、ミリスチン酸、パルミチン酸、ステアリン酸、アラキン酸、ベヘン酸、リグノセリン酸およびそれらの組合せからなる群より選ばれる不飽和又は飽和脂肪酸である請求項３１に記載の潤滑基油組成物。
【請求項３５】
フィッシャー・トロプシュ合成により誘導された潤滑基油が主要量で存在し、そしてポリオールエステルが少量で存在する請求項２９に記載の潤滑基油組成物。
【請求項３６】
さらに、酸化防止剤、耐摩耗性添加剤、清浄剤、さび止め添加剤、曇り除去剤、抗乳化剤、金属不活性化剤、摩擦緩和剤、流動点降下剤、消泡剤、補助溶剤、パッケージ混合剤、腐食防止剤、無灰分散剤、染料、極圧剤およびそれらの組合せからなる群より選ばれる一種もしくは二種以上の潤滑油添加剤を含む請求項２９に記載の潤滑基油組成物。
【請求項３７】
リン分が組成物の全重量に基づき０．０８重量％を越えない請求項３６に記載の潤滑基油組成物。
【請求項３８】
動粘度が１００℃で２乃至９．３ｃＳｔであって、（ａ）フィッシャー・トロプシュ合成誘導潤滑油の重量に基づき、（ｉ）少なくとも一個の芳香族官能基を持つ分子全体の重量％が０．３０以下で、（ii）モノシクロパラフィンを持つ分子全体の重量％が８以上で、かつ（iii）マルチシクロパラフィンを持つ分子全体の重量％が０．５以下である、フィッシャー・トロプシュ合成により誘導された少なくとも一種の潤滑基油、および（ｂ）少なくとも一種のポリオールエステルを含む潤滑基油組成物。
【請求項３９】
フィッシャー・トロプシュ合成誘導潤滑基油におけるシクロパラフィン官能性を持つ分子全体の重量％が、９．５以上である請求項３８に記載の潤滑基油組成物。
【請求項４０】
ポリオールエステルが、一種もしくは二種以上のポリオールと一種もしくは二種以上の有機酸との反応生成物からなる請求項３８に記載の潤滑基油組成物。
【請求項４１】
一種もしくは二種以上のポリオールが２〜１０個の炭素原子と２〜６個のヒドロキシル基を持ち、そして一種もしくは二種以上の有機酸が４〜２４個の炭素原子を持つ請求項４０に記載の潤滑基油組成物。
【請求項４２】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種もしくは二種以上の有機酸が、ブタン酸、イソブタン酸、ペンタン酸、イソペンタン酸、ヘキサン酸、２−エチルブタン酸、シクロヘキサン酸、ヘプタン酸、イソヘプタン酸、メチルシクロヘキサン酸、オクタン酸、ジメチル−ヘキサン酸、２−エチルヘキサン酸、２，４，４−トリメチル−ペンタン酸、イソオクタン酸、３，５，５−トリメチルヘキサン酸、ノナン酸、イソノナン酸、イソデカン酸、イソウンデカン酸、２−ブチルオクタン酸、トリデカン酸、テトラデカン酸、ヘキサデカン酸、ヘプタデカン酸、オクタデカン酸、２−エチルヘキサデカン酸、ノナデカン酸、２−メチルオクタデカン酸、イコサン酸、２−メチルイコサン酸、３−メチルノナデカン酸、ドコサン酸、テトラドコサン酸、２−メチルトリコサン酸およびそれらの組合せからなる群より選ばれる請求項４０に記載の潤滑基油組成物。
【請求項４３】
一種もしくは二種以上のポリオールが、１，２−プロパンジオール、１，３−プロパンジオール、１，２−ブタンジオール、１，３−ブタンジオール、２，３−ブタンジオール、２−エチル−１，３−プロパンジオール、２−エチル−２−ブチル−１，３−プロパンジオール、ネオペンチルグリコール、２，２，４−トリメチル−１，３−ペンタンジオール、２，２−ジエチルプロパン−１，３−ジオール、２，２−ジブチルプロパン−１，３−ジオール、２−メチル−２−プロピルプロパン−１，３−ジオール、トリメチロールプロパン、ペンタエリトリトール、ジペンタエリトリトールおよびそれらの組合せからなる群より選ばれ、そして一種以上の有機酸が、ミリストレイン酸、パルミトレイン酸、オレイン酸、リノレン酸、カプロン酸、カプリル酸、カプリン酸、ラウリン酸、ミリスチン酸、パルミチン酸、ステアリン酸、アラキン酸、ベヘン酸、リグノセリン酸およびそれらの組合せからなる群より選ばれる不飽和又は飽和脂肪酸である請求項４０に記載の潤滑基油組成物。
【請求項４４】
フィッシャー・トロプシュ合成により誘導された潤滑基油が主要量で存在し、そしてポリオールエステルが有効な少量で存在する請求項３８に記載の潤滑基油組成物。
【請求項４５】
さらに、酸化防止剤、耐摩耗性添加剤、清浄剤、さび止め添加剤、曇り除去剤、抗乳化剤、金属不活性化剤、摩擦緩和剤、流動点降下剤、消泡剤、補助溶剤、パッケージ混合剤、腐食防止剤、無灰分散剤、染料、極圧剤およびそれらの組合せからなる群より選ばれる一種もしくは二種以上の潤滑油添加剤を含む請求項３８に記載の潤滑基油組成物。
【請求項４６】
リン分が組成物の全重量に基づき０．０８重量％を越えない請求項４５に記載の潤滑基油組成物。
【請求項４７】
請求項１、１９、２９、または３８に記載の潤滑基油組成物を用いて内燃機関を作動させることからなる、内燃機関の燃費を改善する方法。
【手続補正２】
【補正対象書類名】明細書
【補正対象項目名】００１１
【補正方法】変更
【補正の内容】
【００１１】
本発明の第二の態様によれば、１００℃での動粘度が約２乃至約９．３ｃＳｔであり、そして（ａ）５％から９５％留出点の間の沸点範囲分布が、ＡＳＴＭ Ｄ−６３５２分析法又はその同等分析法での測定値により約３８乃至約１４９℃であることに特徴がある、フィッシャー・トロプシュ合成により誘導された少なくとも一種の潤滑基油、および（ｂ）少なくとも一種のポリオールエステルを含む潤滑基油組成物を提供する。
【手続補正３】
【補正対象書類名】明細書
【補正対象項目名】０１２６
【補正方法】変更
【補正の内容】
【０１２６】
表  ２
────────────────────────────
性状             ＣＨＥＶＣＡ４ＦＴ
────────────────────────────
ろう分供給体                      Ｆｅ基材のＦＴろう
水素化異性化温度（℃）              約３６１℃
水素化異性化脱ろう触媒            Ｐｔ／ＳＡＰＯ−１１
反応器圧力（ｐｓｉｇ）              １０００
１００℃粘度（ｃＳｔ）              ４．５２４
粘度指数                            １４９
芳香族（重量％）                    ０．０１０９
オレフィン（重量％、                ０．９
プロトンＮＭＲによる）
ＦＩＭＳ分析（重量％）
アルカン                         ８９．４
一不飽和                         １０．４
二−六不飽和                       ０．２
合計                           １００．０
シクロパラフィン官能性を持つ        ９．７
分子（重量％、ＦＩＭＳによる）
マルチパラフィン官能性を持つ        ０．２
分子（重量％、ＦＩＭＳによる）
流動点（℃）                        −１７
曇り点（℃）                        −１０
モノ／マルチシクロパラフィン        ４７．５
官能性を持つ分子
流動点／１００℃粘度の比            −３．７６
基油の流動率                        −６．９１
酸化剤ＢＮ（時間）                  ３４．９２
アニリン点（Ｄ６１１、℃）          約１２３℃
ノアック揮発性（重量％）            １２．５３
ＣＣＳ粘度（−３５℃、Ｃｐ）        ２０９０
────────────────────────────